(57)【要約】      （修正有）【課題】情報通信用端末が増えた場合に極力壁裏または天井裏配線をすることで美観を損ねる露出配線を軽減し、ケーブル配線施工を容易に行うことができ、且つ安価に構築する配線基盤設備を提供する。【解決手段】住宅内の情報分電盤から各部屋に設置される情報コンセント２２までの区間において、天井裏もしくは壁裏の曲がり部や障害物をかわす直線用ガイド３２及び曲線用ガイド３３を予め設置し、直線用ガイド３２及び曲線用ガイド３３のガイド穴にケーブルを新設または張替えが可能である通線紐３６を予め通しておき、この通線紐３６を用いてケーブルを情報分電盤から情報コンセント２２まで直線用ガイド３２及び曲線用ガイド３３で案内して配線することにより、配管施工を行うことなく住宅内のホームネットワーク用ケーブル配線基盤設備を構築する。【選択図】      図２
2005204435.tif 000002
【特許請求の範囲】
【請求項１】
建物内の情報分電盤から各部屋に設置される情報コンセントまでの区間に、少なくとも１個以上の配線ガイドを設置し、ケーブルを前記情報分電盤から前記情報コンセントまで前記配線ガイドで案内して配線することを特徴とする配線基盤設備。
【請求項２】
住宅内の情報分電盤から各部屋に設置される情報コンセントまでの区間において、天井裏もしくは壁裏の曲がり部や障害物をかわす配線ガイドを予め設置しておくことにより、配管施工を行うことなく住宅内のホームネットワーク用ケーブル配線基盤設備を構築することを特徴とする配線基盤設備。
【請求項３】
配線ガイドのガイド穴にケーブルを新設または張替えが可能である通線紐を通しておくことを特徴とする請求項１又は２に記載の配線基盤設備。
【請求項４】
配線ガイドは、障害物をかわす直線用ガイドと曲がり部を配線する曲線用ガイドよりなり、前記直線用ガイド及び曲線用ガイドは壁裏もしくは天井裏に設置されることを特徴とする請求項１、２又は３に記載の配線基盤設備。
【請求項５】
ケーブルを通すリングと、前記リングを固定するフレームと、前記フレームに一体に設けられた針とを具備することを特徴とする配線ガイド。
【請求項６】
ケーブルを通すリングと、前記リングを固定するフレームと、前記フレームに一体に設けられ取付用穴を有する取付部材とを具備することを特徴とする配線ガイド。
【請求項７】
ケーブルを通すリングと、前記リングを固定するフレームと、前記フレームに一体に設けられた取付板とを具備することを特徴とする配線ガイド。
【請求項８】
ケーブルを通す複数のリングと、前記各リングのガイド穴が曲線上に配置するように各リングを一体に固定するフレームと、前記フレームに一体に設けられた針とを具備することを特徴とする配線ガイド。
【請求項９】
リングは硬質プラスチックまたは炭化けい素等のケーブル外被を摩耗させにくい材料からなり、フレームはステンレス、チタン等の耐腐食性及び耐久性を兼ね備えた合金よりなることを特徴とする請求項５乃至８のいずれかに記載の配線ガイド。
【発明の詳細な説明】
【技術分野】
【０００１】
本発明は、建物内の情報分電盤から各部屋に設置される情報コンセントまでの区間にケーブルを配線する配線基盤設備及び配線基盤設備に用いられる配線ガイドに関し、特に、ホームネットワークに好適する配線基盤設備に関するものである。
【背景技術】
【０００２】
従来の住宅内ケーブル用の配線基盤設備は図４に示すように配管方式によって行われている。一般的に情報分電盤１１から各部屋に設けられる情報コンセント１２の間にフレキシブル管１３を敷設して、両サドル１４等の配管固定具によって固定する方式である（例えば、非特許文献１参照。）。
【０００３】
この方式はケーブルの張替え等に対応できる利点はあるが、施工費が高価なため一般ユーザには普及せず、将来の住宅内ＬＡＮ配線を検討しているユーザのみに設備構築されている。しかし将来のホームネットワークに複数の端末が接続されることを考えると、なるべく美観を損ねる露出配線を少なくするため、情報コンセントの数も同時に増えることが想定される。情報コンセントの数を増やすことは、配管設備量を増やすことになり配線基盤設備構築のコスト増加といった問題がある。
【０００４】
【非特許文献１】宅内情報通信・放送高度化フォーラム編集・発行  「宅内情報通信配線基本施工仕様書（２版）」  平成１４年７月１８日発行  ｐ．１８−１９
【発明の開示】
【発明が解決しようとする課題】
【０００５】
本発明は上記の事情に鑑みてなされたもので、情報通信用端末が増えた場合に極力壁裏または天井裏配線をすることで美観を損ねる露出配線を軽減し、ケーブル配線施工を容易に行うことができ、且つ安価に構築する配線基盤設備及びそれに用いられる配線ガイドを提供することを目的とする。
【課題を解決するための手段】
【０００６】
上記目的を達成するために本発明の配線基盤設備は、建物内の情報分電盤から各部屋に設置される情報コンセントまでの区間に、少なくとも１個以上の配線ガイドを設置し、ケーブルを前記情報分電盤から前記情報コンセントまで前記配線ガイドで案内して配線することを特徴とするものである。
【０００７】
また本発明の配線基盤設備は、住宅内の情報分電盤から各部屋に設置される情報コンセントまでの区間において、天井裏もしくは壁裏の曲がり部や障害物をかわす配線ガイドを予め設置しておくことにより、配管施工を行うことなく住宅内のホームネットワーク用ケーブル配線基盤設備を構築することを特徴とするものである。
【０００８】
また本発明は、前記配線基盤設備において、配線ガイドのガイド穴にケーブルを新設または張替えが可能である通線紐を通しておくことを特徴とするものである。
【０００９】
また本発明は、前記配線基盤設備において、配線ガイドは、障害物をかわす直線用ガイドと曲がり部を配線する曲線用ガイドよりなり、前記直線用ガイド及び曲線用ガイドは壁裏もしくは天井裏に設置されることを特徴とするものである。
【００１０】
また本発明の配線ガイドは、ケーブルを通すリングと、前記リングを固定するフレームと、前記フレームに一体に設けられた針とを具備することを特徴とするものである。
【００１１】
また本発明の配線ガイドは、ケーブルを通すリングと、前記リングを固定するフレームと、前記フレームに一体に設けられ取付用穴を有する取付部材とを具備することを特徴とするものである。
【００１２】
また本発明の配線ガイドは、ケーブルを通すリングと、前記リングを固定するフレームと、前記フレームに一体に設けられた取付板とを具備することを特徴とするものである。
【００１３】
また本発明の配線ガイドは、ケーブルを通す複数のリングと、前記各リングのガイド穴が曲線上に配置するように各リングを一体に固定するフレームと、前記フレームに一体に設けられた針とを具備することを特徴とするものである。
【００１４】
また本発明は、前記配線ガイドにおいて、リングは硬質プラスチックまたは炭化けい素等のケーブル外被を摩耗させにくい材料からなり、フレームはステンレス、チタン等の耐腐食性及び耐久性を兼ね備えた合金よりなることを特徴とするものである。
【発明の効果】
【００１５】
本発明の配線基盤設備は、建物内の情報分電盤から各部屋に設置される情報コンセントまでの区間にケーブルを配線する際に、露出配線が少なくでき美観に優れ、また端末近傍までの埋め込み配線が可能となり施工性に優れ、さらに配線基盤設備の構築費用が削減できる。
【発明を実施するための最良の形態】
【００１６】
以下図面を参照して本発明の実施の形態例を詳細に説明する。
図１は本発明の実施形態例に係る配線基盤設備を示す構成説明図である。すなわち、建物例えば住宅内の情報分電盤２１から各部屋に設置される情報コンセント２２までの区間において、天井裏もしくは壁裏の曲がり部や障害物をかわす配線ガイド２３を予め少なくとも１個以上設置しておくことにより、配管施工を行うことなく住宅内のホームネットワーク用ケーブル配線基盤設備を構築する。
【００１７】
図２（ａ）は本発明の実施形態例に係る配線基盤設備を用いた配線方法を示す構成説明図であり、図２（ｂ）は図２（ａ）の一部を示す拡大図である。すなわち、住宅内の木材等よりなる天井３１の裏側には、配線ガイドとして、障害物をかわす直線用ガイド３２と曲がり部を配線する曲線用ガイド３３が設置される。住宅内の壁３４の裏側にはスイッチボックス３５が設けられ、このスイッチボックス３５の開口部は壁３４を貫通して壁３４の表側に開口し、この壁３４の表側開口部には情報コンセント２２が設けられる。前記直線用ガイド３２及び曲線用ガイド３３は、ケーブルを通すガイド穴を有するリングと、前記リングを固定するフレームと、前記フレームに一体に設けられ天井に取り付ける取付部より構成される。前記直線用ガイド３２及び曲線用ガイド３３のガイド穴にはケーブルを新設または張替えが可能である通線紐３６が予め通されており、この通線紐３６の先端部は前記スイッチボックス３５に接続される。前記通線紐３６の後端部にはケーブル３７が接続され、通線紐３６を引っ張ることにより、ケーブル３７を前記情報分電盤２１から前記情報コンセント２２まで前記直線用ガイド３２及び曲線用ガイド３３で案内されて配線することができる。尚、直線用ガイド及び曲線用ガイドは壁裏に設置するようにしてもよい。
【００１８】
図３（ａ），（ｂ），（ｃ），（ｄ）は本発明の実施形態例に係る配線ガイドを示す構成図である。すなわち、図３（ａ）は直線用ガイドであり、ケーブルを通す円形状の硬質プラスチックまたは炭化けい素等のケーブル外被を摩耗させにくい材料からなるリング４１と、前記リング４１の周囲に設けられ、リング４１を固定する円形状のステンレス、チタン等の耐腐食性及び耐久性を兼ね備えた合金よりなるフレーム４２と、前記フレーム４２の外方に突出するようにして一体に設けられたステンレス、チタン等の耐腐食性及び耐久性を兼ね備えた合金よりなる針４３とより構成され、前記針４３を天井または壁に突き刺すことによりリング４１及びフレーム４２を固定する。
【００１９】
また、図３（ｂ）は直線用ガイドであり、ケーブルを通す円形状の硬質プラスチックまたは炭化けい素等のケーブル外被を摩耗させにくい材料からなるリング４４と、前記リング４４の周囲に設けられ、リング４４を固定する円形状のステンレス、チタン等の耐腐食性及び耐久性を兼ね備えた合金よりなるフレーム４５と、前記フレーム４５の外方に突出するようにして一体に設けられたステンレス、チタン等の耐腐食性及び耐久性を兼ね備えた合金よりなる取付部材４６とより構成され、前記取付部材４６は略Ｔ字状に形成され、両端に取付孔４７が設けられる。前記取付孔４７を通して釘またはネジ４８を挿入することによりリング４４及びフレーム４５を天井または壁に固定する。
【００２０】
また図３（ｃ）は直線用ガイドであり、ケーブルを通す円形状の硬質プラスチックまたは炭化けい素等のケーブル外被を摩耗させにくい材料からなるリング４９と、前記リング４９の周囲に設けられ、リング４９を固定する円形状のステンレス、チタン等の耐腐食性及び耐久性を兼ね備えた合金よりなるフレーム５０と、前記フレーム５０の外面に一体に設けられたステンレス、チタン等の耐腐食性及び耐久性を兼ね備えた合金よりなる四角板状の取付板５１とより構成され、前記取付板５１を天井または壁に両面テープ５２を用いて貼り付けることによりリング４９及びフレーム５０を固定する。
【００２１】
また図３（ｄ）は曲線用ガイドであり、ケーブルを通す円形状の硬質プラスチックまたは炭化けい素等のケーブル外被を摩耗させにくい材料からなる複数のリング５７と、前記各リング５７のそれぞれ対応したリング周囲に設けられ、それぞれ対応したリング５７を固定する円形状のステンレス、チタン等の耐腐食性及び耐久性を兼ね備えた合金よりなるフレーム５３と、前記各フレーム５３の外方に突出するようにしてに一体に設けられたステンレス、チタン等の耐腐食性及び耐久性を兼ね備えた合金よりなる棒状の支持桿５４と、この各支持桿５４の先端部を一点に集めて固定する固定部材５５と、前記固定部材５５から外方に突出するようにして一体に設けられたステンレス、チタン等の耐腐食性及び耐久性を兼ね備えた合金よりなる針５６とより構成され、前記針５６を天井または壁に突き刺すことによりリング５７及びフレーム５３を固定する。この場合、各リング５７のガイド穴が曲線上に配置するように構成する。
【００２２】
以上のように、住宅内の情報分電盤等から各部屋の情報コンセントまでの区間において、天井裏または壁裏に配線ガイドを設置し、配線ガイドの穴に予め通線紐を通しておく。ＬＡＮ構築等によりケーブル敷設が必要となった場合は、通線紐にケーブルをつなぎ、敷設を行うことができる。配線ガイドは天井裏や壁裏の障害物があるところや、曲がり部に設置され、ケーブル敷設時にケーブルを障害物や隙間に挟み込むことなく、また曲がり部においては、ケーブル敷設時に発生する摩擦によりケーブル外被を損傷することなく敷設することができる。
【００２３】
したがって、ホームネットワーク用配線基盤設備において、ホームネットワークに接続される端末が増えることを想定したケーブル敷設用の基盤設備を構築する際に安価に構築することができ、ケーブルを配線する際には、端末近傍まで天井裏または壁裏配線することが可能であり、端末接続用コンセントからの露出配線が少なくなり、施工性・美観に優れている。
【００２４】
なお、本発明は、上記実施形態例そのままに限定されるものではなく、実施段階ではその要旨を逸脱しない範囲で構成要素を変形して具体化できる。また、上記実施形態例に開示されている複数の構成要素の適宜な組み合せにより種々の発明を形成できる。例えば、実施形態例に示される全構成要素から幾つかの構成要素を削除してもよい。更に、異なる実施形態例に亘る構成要素を適宜組み合せてもよい。
【図面の簡単な説明】
【００２５】
【図１】本発明の実施形態例に係る配線基盤設備を示す構成説明図である。
【図２】（ａ）は本発明の実施形態例に係る配線基盤設備を用いた配線方法を示す構成説明図であり、（ｂ）は（ａ）の一部を示す拡大図である。
【図３】本発明の実施形態例に係る配線ガイドを示す構成図である。
【図４】従来の住宅内ケーブル用配線基盤設備の配管方式を示す構成説明図である。
【符号の説明】
【００２６】
２１    情報分電盤
２２    情報コンセント
２３    配線ガイド
３２    直線用ガイド
３３    曲線用ガイド
３５    スイッチボックス
３６    通線紐
３７    ケーブル
【図１】
2005204435.tif 000003
【図２】
2005204435.tif 000004
【図３】
2005204435.tif 000005
【図４】
2005204435.tif 000006